(57)【要約】【課題】  従来に比べて組立て易い構造を有する遊技部品を提供すること。【解決手段】中央に前後開口する窓口を有して、該窓口に図柄表示装置が配設される枠状に形成され、遊技盤面の略中央に配設される遊技部品において、少なくとも２個の部材から構成され、一方の部材は前記遊技盤面の表面から取付けられ、他方の部材は前記遊技盤面の裏面から取付けられて一体となる遊技部品を提供した。【選択図】  図７
2006043088.tif 000002
【特許請求の範囲】
【請求項１】
中央に前後開口する窓口を有して、該窓口に図柄表示装置が配設される枠状に形成され、遊技盤面の略中央に配設される遊技部品において、
少なくとも２個の部材から構成され、一方の部材は前記遊技盤面の表面から取付けられ、他方の部材は前記遊技盤面の裏面から取付けられて一体となることを特徴とする遊技部品。
【請求項２】
中央に前後開口する窓口を有して、該窓口に図柄表示装置が配設される枠状に形成され、遊技盤面の略中央に配設される遊技部品において、
該遊技部品を少なくとも２個の部材に分割し、一方の部材を前記遊技盤面の表面から取付け、他方の部材を前記遊技盤面の裏面から取付けて一体とすることを特徴とする遊技部品の取付方法。
【発明の詳細な説明】
【技術分野】
【０００１】
本発明は、パチンコ遊技機等の弾球遊技機及びその遊技部品に関し、特に、弾球遊技機の遊技盤面に取付けられて使用される弾球遊技機用の遊技部品、及び、該遊技部品を備えた弾球遊技機に関する。
【背景技術】
【０００２】
弾球遊技機の一つであるパチンコ機には、遊技盤面の中央部に、遊技部品の一つであるセンター役物を有し、該センター役物は奥面に図柄表示装置を備え、下部にステージを備えている機種がある。そして、上記のパチンコ機では、センター役物内に流入した遊技球は、ステージ上を転動した後に、ステージ上から落下する。そして、その遊技球が始動入賞部に入賞すると、図柄表示装置における図柄が変動表示された後に静止表示され、その静止表示された図柄が「当たり」の図柄の場合には、大入賞口が所定の回数開くようにされている。
【０００３】
上記のようなセンター役物を有するパチンコ機は概略、以下の手順により組立てられている。まず、遊技盤面を形成する遊技板に糊を塗り、該遊技板にセル貼り機によって絵柄が印刷されたセルを貼る。次に、ＮＣルータ加工により、絵柄を貼られた遊技板にセンター役物、入賞口、始動入賞部及び大入賞口用の開口孔を形成する。更に、遊技板を弾球遊技機に取付けるための開口孔及び切り欠き部を形成する。同時にアウト口用の切り欠き部も形成する。
【０００４】
次に、釘打ち機で遊技板に釘を打ち、その後、センター役物、入賞口、始動入賞部及び大入賞口を遊技盤面の表面から取付ける。なお、センター役物等の機器が複数の部品から形成されている場合には、複数の部品から各機器を組立て、その後、遊技板に形成された開口孔に取付けている。これで遊技盤面の組立作業は終了する。
【０００５】
次に、遊技盤面の裏面に移行し、裏面の所定の場所に、排出球用の球通路、図柄表示装置、画像制御基板、ランプ・音声制御基板及び中継基板等の基板を遊技盤面の裏面から取付ける。その後、カバー等を排出球用の球通路に取付けた後、主制御基板を遊技盤面の裏面から取付ける。更に各基板間をコネクタ等で接続し、パチンコ機の組立作業は終了する。
【０００６】
以上のように、一般にセンター役物は、遊技盤面の表面から、遊技板に形成される開口孔に取付けられている。また、センター役物は、一体形成又は、複数の部品を組合わせて形成されている。（例えば、特許文献１参照）
【特許文献１】特開２００１−１６１９３２号公報
【発明の開示】
【発明が解決しようとする課題】
【０００７】
上述した特許文献１に示される従来の弾球遊技機では、遊技盤面の表面から遊技部品を遊技板に形成された開口孔に取付ける場合に、遊技部品が開口孔に取付け難い構造となることがある。この場合、遊技部品の組立作業時に作業効率が悪化するといった問題があった。特に、遊技部品の裏面に駆動源等を備えている場合、遊技板に形成された開口孔の外側に駆動源等が配設されることが多く、非常に取付け難い構造となっていた。そのため、組立作業の効率が悪化していた。
【課題を解決するための手段】
【０００８】
上記目的達成のため、本発明の遊技部品では、中央に前後開口する窓口を有して、該窓口に図柄表示装置が配設される枠状に形成され、遊技盤面の略中央に配設される場合において、少なくとも２個の部材から構成され、一方の部材は前記遊技盤面の表面から取付けられ、他方の部材は前記遊技盤面の裏面から取付けられて一体となっている。
【０００９】
これにより、遊技部品が遊技板に取付け難い構造となっていた場合でも、２個の部材に分割することで、遊技盤面の表面と裏面から作業することができる。よって、確実に遊技部品を遊技板に取付ける事ができる。
【００１０】
また、本発明の遊技部品の取付方法では、中央に前後開口する窓口を有して、該窓口に図柄表示装置が配設される枠状に形成され、遊技盤面の略中央に配設される遊技部品において、該遊技部品を少なくとも２個の部材に分割し、一方の部材を前記遊技盤面の表面から取付け、他方の部材を前記遊技盤面の裏面から取付けて一体としている。
【００１１】
これにより、遊技部品が遊技板に取付け難い構造となっていた場合でも、２個の部材に分割し、遊技盤面の表面と裏面から作業することで、遊技部品を遊技板に取付け易くなり、作業効率を改善することができる。
【発明の効果】
【００１２】
本発明によれば、遊技部品が遊技板に取付け難い構造となっていた場合でも、２個の部材に分割することで、遊技盤面の表面と裏面から作業することができる。よって、確実に遊技部品を遊技板に取付ける事ができる。
【００１３】
また、遊技部品を２個の部材に分割し、遊技盤面の表面と裏面から作業することで、遊技部品を遊技板に取付け易くなり、作業効率を改善することができる。
【発明を実施するための最良の形態】
【００１４】
本発明の実施形態の一つについて、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００１５】
はじめに、本発明の実施形態に係る弾球遊技機１の構成について図１及び図２を参照して説明する。
【００１６】
図１は、本発明の一の実施形態に係る弾球遊技機１の遊技盤面２の外観を示す正面図、図２は、本発明の一の実施形態に係るセンター役物２０の全体を示す斜視図である。
【００１７】
この弾球遊技機１の遊技盤面２の略中央には、本発明に係る遊技部品の一の実施形態であるセンター役物２０が配設されている。センター役物２０は、中央に前後開口する大きな窓口を有する枠状に形成された物理的役物で、その上部（上枠部）に遊技球が入球する役物入口２１（球入り口）が形成されている。役物入口２１からセンター役物２０の側枠部にかけて案内通路２２が形成され、下枠部には遊技球が転動する上段ステージ３０と下段ステージ４０とが配設され、更に、上段ステージ３０と下段ステージ４０の間には特別通路５０が配設されている。
【００１８】
上段ステージ３０には、流下孔３４が設けられ、特別通路５０は該流下孔３４に連設する。また、特別通路５０の先端には落下孔５２が形成され、センター役物２０に入球した一部の遊技球は特別通路５０を進んだ後、該落下孔５２より下に落下する。なお、後述するが、上段ステージ３０の両端部には、水平に回転する円盤状の回転体と該回転体を支える軸より形成される可動体２３０と該可動体を駆動させる駆動源２２０が配設されている。可動体２３０は上段ステージ３０で転動している遊技球に変化を与えるために配設されている。
【００１９】
また、下段ステージ４０には、遊技球を排出する排出経路４１が設けられており、センター役物２０に入球した多くの遊技球はこの排出経路４１より排出される。
【００２０】
センター役物２０の略中央（前述したセンター役物２０の中央の大きな窓口部分）には、図柄や遊技演出等の識別情報を可変表示する可変表示装置の一例として、図柄表示装置３が配設されている。本実施形態の図柄表示装置３は、従来の図柄表示装置より大型の、例えば、１０．４インチサイズの液晶ディスプレイが用いられており、従来より迫力のある遊技演出を遊技者に提供することができる。なお、この図柄表示装置３は、主に液晶ディスプレイが使用されるが、画面上に画像等の識別情報を表示可能であれば、例えば、ＣＲＴ、ドットマトリックス等の表示装置であっても良い。
【００２１】
センター役物２０の下方には、遊技球が入賞可能な始動入賞部４が配設されている。この始動入賞部４の上部の開口部には、開口幅を拡大させる拡大装置５、５が配設されている。この拡大装置５、５は、通常は遊技球を１個通過可能とするが２個同時通過不可能な幅を保つことにより、始動入賞部４への遊技球の入賞を困難なものとしているが、拡大作動時は広い範囲で遊技球を拾うことが可能となり、始動入賞部４への遊技球の入賞を容易なものとする。
【００２２】
更に、拡大装置５、５の上方には、遊技球の始動入賞部４への入賞を制限する制限部材４ａが配設されている。制限部材４ａは遊技盤面２より前方（手前側）に僅かに突出した略直方体状の障害物であって、上述したセンター役物２０に入球し下段ステージ４０の排出経路４１より排出された遊技球が始動入賞部４へ入賞するのを制限する。但し、拡大装置５、５が作動（開放）されていれば、始動入賞部４への入賞は可能である。一方、センター役物２０に入球し特別通路５０を通過して落下孔５２より落下した遊技球は、制限部材４ａの影響を受けないので、拡大装置５、５の作動に関わらず始動入賞部４に入賞する。
【００２３】
始動入賞部４の左側には、遊技球が通過可能な作動ゲート７が配設され、該作動ゲート７の左側には入賞口６が配設されている。作動ゲート７には通過した遊技球を検出する図示しない検出装置が設けられ、遊技球の通過を契機として普通図柄表示部１１における普通図柄の変動表示が開始される。普通図柄は普通図柄表示部１１に設けられたランプの表示によって行われ、当該ランプが所定の状態に点灯すると、始動入賞部４の拡大装置５、５は所定時間だけ作動される。
【００２４】
次に、始動入賞部４の下方には、アタッカーユニット８が配設されている。このアタッカーユニット８の正面略中央には、特別遊技が実行される際に開放される大入賞口９が設けられている。特別遊技（大当たり）とは、図柄表示装置３に停止表示される図柄が所定の大当たり図柄の場合に遊技者に特別の利益が提供されるような遊技であって、特別遊技は所定のラウンド数（例えば、最大１５ラウンド）の単位特別遊技より構成される。単位特別遊技とは、通常は閉鎖されている大入賞口９を、例えば、所定の時間が経過するまで、又は、所定個数の遊技球の入賞があるまで特別に開放させ、この間に大入賞口９に入賞した各遊技球に対して所定の個数の賞球を遊技者に与えるような遊技である。
【００２５】
遊技盤面２の下端には、始動入賞部４、入賞口６、大入賞口９の何れにも入賞しなかった遊技球が排出されるアウト口１０が配設されている。また、遊技盤面２には、遊技球の落下方向に変化を付けるための図示しない釘等が配設されている。そして、遊技盤面２の前面は、図示しないガラス板で覆われている。更に、遊技盤面２の下方には、遊技球を遊技盤面２の下端から上端へ打ち出すための図示しない弾球ハンドルや、始動入賞部４、入賞口６、大入賞口９に遊技球が入賞したときに所定の個数の遊技球が払い出される図示しない賞球払出口及びそれらの遊技球を受ける球受け皿がそれぞれ配設されている。
【００２６】
以上のような構成の弾球遊技機１の遊技の概要について、図１に基づき説明する。遊技者が弾球ハンドルを操作すると、遊技球が発射されガイドレール１２に案内されて遊技盤面２の上方に放出される。遊技球の一部は役物入口２１よりセンター役物２０に入球し、他の遊技球は図示しない釘等に接触して落下方向を変化させながら、一部の遊技球は入賞口６又は始動入賞部４に入賞する。遊技球が入賞口６に入賞すると、賞球払出口から例えば５球の賞球が遊技者に払い出される。
【００２７】
上述したように、センター役物２０に入球した一部の遊技球は特別通路５０を経由して落下孔５２より落下して始動入賞部４に入賞する。センター役物２０に入球したその他の遊技球は、上段ステージ３０、下段ステージ４０上を転動後、排出経路４１より遊技盤面２の下方に排出される。この排出された遊技球は、拡大装置５、５が開放されていれば始動入賞部４へ入賞可能であるが、通常の状態では制限部材４ａにより始動入賞部４への入賞は困難である。最終的に始動入賞部４又は入賞口６に入賞しなかった遊技球は、アウト口１０を介して遊技盤面２の裏面側に排出される。
【００２８】
次に、遊技球が作動ゲート７を通過すると、図示しない作動ゲート通過検出装置からの通過信号を契機に普通図柄抽選が行われ、普通図柄表示部１１において普通図柄の変動を開始する。そして、変動が開始してから例えば３０秒が経過すると、抽選された結果の態様で普通図柄が停止する。このとき普通図柄の停止態様が予め定められた当たりの態様であれば、始動入賞部４の拡大装置５、５が作動され、例えば０．５秒間だけ保持される。この間、始動入賞部４の開口幅が拡大されているので、始動入賞部４への入賞が容易となる。また、普通図柄の停止態様が予め定められた外れの態様であれば、始動入賞部４の拡大装置５、５は作動されないが、この場合でも始動入賞部４への入賞は可能である。なお、普通図柄表示部１１において普通図柄の変動中に遊技球がゲート７を通過した場合には、その分の変動は保留されて順次実行される。
【００２９】
次に、遊技球が始動入賞部４に入賞すると、図示しない始動入賞検出装置からの検出信号を契機に賞球払出口から例えば５球の賞球が遊技者に払い出されると共に、乱数抽選による大当たり判定処理が開始される。当該判定結果は、図柄表示装置３に図柄を変動表示した後停止図柄を表示する図柄変動演出と図示しない音声出力部からの音声出力により遊技者に報知される。この図柄変動演出は、単に大当たり判定処理の結果を遊技者に報知するのみでなく、遊技者に大当たり当選を期待又は予感させる、例えば、リーチ、ダブルリーチ等の遊技演出を含み、遊技者に多くの興趣を与えるものである。
【００３０】
図柄表示装置３に所定の大当たり図柄（例えば、「７」「７」「７」の特定のゾロ目の図柄）が停止表示されると大当たり当選であって、続いて特別遊技が開始される。すなわち、普段は閉鎖されている大入賞口９が開放され、遊技球は大入賞口９へ入賞することが可能となる。遊技球が大入賞口９に入賞すると、賞球払出口から所定の個数（例えば１５球）の賞球が遊技者に払い出される。開放された大入賞口９は、例えば、開放後３０秒経過するか、１０球の入賞があるかの何れかにより一旦閉鎖される。そして、大入賞口９が開放されている間に、大入賞口９の内部に設けられているＶゾーンへの入賞があると、大入賞口９は一旦閉鎖された後、再度開放される。このような大入賞口９の開放及び閉鎖を所定の回数（例えば、１５ラウンド）だけ繰り返し行う。一方、大入賞口９が所定の回数だけ開閉を繰り返すか、大入賞口９の開放中にＶゾーンへの入賞が無かった場合には特別遊技は終了する。
【００３１】
次に、本発明の一の実施形態に係る弾球遊技機１の概略の組立手順について図３及び図４を示して説明する。図３は、本発明の一の実施形態に係る弾球遊技機１の遊技板１５０に形成された開口孔を表す正面図、図４は、センター役物２０の全体を示す正面図である。
【００３２】
まず、従来と同様に、遊技盤面２を形成する遊技板１５０に糊を塗り、遊技板１５０にセル貼り機によって絵柄を印刷されたセルを貼る。次に、ＮＣルータ加工により、絵柄を貼られた遊技板１５０にセンター役物２０、入賞口６、始動入賞部４及び大入賞口９の開口孔を形成する。更に、遊技板１５０を弾球遊技機１に取付けるための開口孔及び切り欠き部を形成する。同時にアウト口１０用の切り欠き部も形成する。
【００３３】
図３に遊技板１５０に形成された開口孔を示すと、開口孔１０１乃至１０４及び切り欠き部１０５は、後述の工程で配設される機器の用途により形状・大きさが異なっている。ここで、開口孔１０１はセンター役物２０用、開口孔１０２は入賞口６用、開口孔１０３は始動入賞部４用、開口孔１０４は大入賞口９用に形成されている。更に、切り欠き部１０５はアウト口１０用に形成されている。更に、上記の他の開口孔及び切り欠き部は、遊技板１５０を弾球遊技機１に取付けるために形成されている。
【００３４】
次の組立手順では、釘打ち機で遊技板１５０に釘を打ち、その後、遊技板１５０に形成した開口孔及び切り欠き部に、センター役物２０、入賞口６、始動入賞部４及び大入賞口９を、遊技盤面２の表面から取付ける。なお、本実施形態に係るセンター役物２０は複数の部品から構成されているので、後述するが、まず複数の部品からセンター役物２０の部材２０ａ及び部材２０ｂを組立てる。組立て後、部材２０ａ及び部材２０ｂを遊技板１５０に形成された開口孔１０１に取付けている。
【００３５】
その後、弾球遊技機１の組立作業は遊技盤面２の裏面に移行する。次の組立手順では、裏面の所定の場所に排出球用の球通路、図柄表示装置、画像制御基板、ランプ・音声制御基板及び中継基板等の基板を遊技盤面２の裏面から取付ける。その後、カバー等を排出球用の球通路に取付けた後、主制御基板を遊技盤面２の裏面から取付ける。更に、各基板間をコネクタ等で接続し、本実施形態に係る弾球遊技機１の組立作業を終了する。
【００３６】
以上、弾球遊技機１の概略の組立手順を列記したが、本実施形態に係るセンター役物２０は、図４に示すように、上段ステージ３０の両端部に可動体２３０を備え、上段ステージ３０の更に奥側に、可動体２３０を駆動させるための駆動源２２０（例えば、モータ等）を備えている（図２参照）。可動体２３０は、水平に回転する円盤状の回転体と該回転体を支える軸より形成されている。上段ステージ３０で転動している遊技球は、上段ステージ３０の波型の形状によって転動するが、可動体２３０が駆動することで、上記の遊技球の転動に変化を与えている。駆動源２２０は、可動体２３０の形状・総重量及び駆動方法などにより大きさが決まる。そのため、センター役物２０を正面から見た場合に駆動源２２０の外形が見えることがある。しかし、図１のように、駆動源２２０のように直接遊技に関係ない機器は、遊技者にから見えないように、遊技盤面２の裏面に隠している。そのため、本実施形態の遊技板１５０に形成された開口孔１０１は、図３に示したように、駆動源２２０が隠れるように形成されている。この場合、センター役物２０を、遊技盤面２の表面から開口孔１０１に取付けようとすると、遊技板１５０の駆動源２２０を隠す部分を跨ぐことになり、センター役物２０を遊技板１５０に取付け難い。
【００３７】
そこで、本実施形態に係るセンター役物２０では、センター役物２０を２個の部材２０ａ及び２０ｂに分割し、一方の部材２０ａを遊技盤面２の表面から、遊技板１５０に形成された開口孔１０１に取付け、他方の部材２０ｂを遊技盤面２の裏面から、開口孔１０１に取付けている。これにより、センター役物２０を取付ける際、遊技板１５０の駆動源２２０を隠す部分を跨ぐ必要がなく、確実に開口孔１０１に取付けることができる。更に、センター役物２０を取付し易くなり、センター役物２０の取付作業の作業効率の悪化を防止することができる。
【００３８】
次に、本実施形態に係るセンター役物２０の部材２０ａの形状について、図５及び図６を示して説明する。図５は、センター役物２０の部材２０ａを示す正面図、図６は、センター役物２０の部材２０ａを示す背面図である。
【００３９】
図４に示すように、可動体２３０を駆動させる駆動源２２０がステージ付近に配設されているので、センター役物２０はステージ付近で、部材２０ａと部材２０ｂに分割されている。図５及び図６に示すように部材２０ａはセンター役物２０から、略ステージを取り除いた形状になっている。なお、部材２０ａは、後述する部材２０ｂと合わせると、図４に示すセンター役物２０となる。また、部材２０ａは駆動源２２０が無いので、遊技盤面２の表面から、遊技板１５０に形成された開口孔１０１に取付けることができる。
【００４０】
ここで、部材２０ａは、図６に示すように、複数の部品を組合せられて形成されている。この場合、上述したように、まず複数の部品から部材２０ａを組立てて、その後、遊技板１５０に形成された開口孔１０１に取付けている。
【００４１】
次に、本実施形態に係るセンター役物２０の部材２０ｂの形状について、図７乃至図９を示して説明する。図７は、センター役物２０の部材２０ｂを示す正面図、図８は、センター役物２０の部材２０ｂを示す背面図、図９は、センター役物２０の部材２０ｂを示す平面図である。
【００４２】
図７乃至図９に示すように、部材２０ｂはセンター役物２０からステージ付近だけを抜き出した形状となっている。なお、部材２０ｂは、上述した部材２０ａと合わせると図４に示すセンター役物２０となる。また、部材２０ｂはセンター役物２０の上段ステージ３０の両端部に配設される可動体２３０と該可動体２３０を駆動させる駆動源２２０を備えている。図７及び図８に示すように、駆動源２２０は、部材２０ｂの両端部の下方に配設されている。図９に示すように、駆動源２２０は上段ステージ３０の更に奥に配設されている。また、図７及び図９に駆動源２２０と可動体２３０の位置関係を示している。
【００４３】
部材２０ｂは、駆動源２２０を備えることから、遊技盤面２の表面から開口孔１０１に取付けようとすると取付け難い。そこで、裏面から開口孔１０１に取付けられている。このようにすれば、部材２０ｂを容易に開口孔１０１に取付けることができる。よって、組立作業時の作業効率を改善することもできる。
【００４４】
以上より、本実施形態の遊技部品であるセンター役物２０は、中央に前後開口する窓口を有して、窓口に図柄表示装置３が配設される枠状に形成され、遊技盤面２の略中央に配設される場合において、少なくとも２個の部材２０ａ及び２０ｂから構成され、一方の部材２０ａは遊技盤面２の表面から取付けられ、他方の部材２０ｂは遊技盤面２の裏面から取付けられて一体とした。
【００４５】
これにより、センター役物２０が遊技板１５０に取付け難い構造となっていた場合でも、２個の部材２０ａ及び２０ｂに分割することで、遊技盤面２の表面と裏面から作業することができる。よって、確実に遊技板１５０にセンター役物２０を取付ける事ができた。
【００４６】
また、本実施形態の遊技部品であるセンター役物２０の取付方法では、中央に前後開口する窓口を有して、窓口に図柄表示装置３が配設される枠状に形成され、遊技盤面２の略中央に配設されるセンター役物２０において、センター役物２０を少なくとも２個の部材２０ａ及び２０ｂに分割し、一方の部材２０ａを遊技盤面２の表面から取付け、他方の部材２０ｂを遊技盤面２の裏面から取付けて一体とした。
【００４７】
これにより、センター役物２０が遊技板１５０に取付け難い構造となっていた場合でも、２個の部材２０ａ及び２０ｂに分割し、遊技盤面２の表面と裏面から作業することで、遊技部品であるセンター役物２０を遊技板１５０に取付け易くなり、作業効率を改善することができた。
【００４８】
尚、本発明は、以上に述べた実施形態に係るセンター役物に限られず、遊技盤面に取付け難い構造を有する他の様々な遊技部品にも適用可能である。
【００４９】
特に、本発明の効果がより有効に発揮されるのは、上述した実施形態に係る弾球遊技機のように、センター役物のステージ上に可動体を備え、該可動体を駆動する駆動源を備えるセンター役物のうち、遊技板に取付ける場合に取付け難い構造をしているセンター役物である。
【００５０】
また、本実施形態では、可動体は、水平に回転する円盤状の回転体と該回転体を支える軸より形成されているが、特にこれに限られること無く、他の形状を形成していても良い。
【００５１】
また、本実施形態では、センター役物の部材を、上下方向で分割しているが、左右方向でもよいし、その他の分割形態でも良い。更に、本実施形態では２個の部材に分割しているが、それ以上に分割することもできる。
【００５２】
また、本実施形態では、センター役物の部材は、複数の部品から組合されて形成されているが、これに限られること無く、部材が１個の部品であっても良い。
【００５３】
更に、本実施形態では、センター役物を分割した部材の一方を遊技盤面の裏面から、遊技板に形成された開口孔に固定しているが、固定方法はどの様な方法でも良い。更に、遊技盤面の裏面からの固定に限られること無く、遊技盤面の裏面から、所定の開口孔に上記の部材を配置し、遊技盤面の表面からネジ等で固定しても良い。
【産業上の利用可能性】
【００５４】
本発明は、遊技球を用いる弾球遊技機であれば、いわゆるパチンコ遊技機のみならず、アレンジボール等他の弾球遊技機にも適用可能である。
【図面の簡単な説明】
【００５５】
【図１】本発明の一の実施形態に係る弾球遊技機１の遊技盤面２の外観を示す正面図である。
【図２】本発明の一の実施形態に係るセンター役物２０の全体を示す斜視図である。
【図３】本発明の一の実施形態に係る弾球遊技機１の遊技板１５０に形成された開口孔を表す正面図である。
【図４】センター役物２０の全体を示す正面図である。
【図５】センター役物２０の部材２０ａを示す正面図である。
【図６】センター役物２０の部材２０ａを示す背面図である。
【図７】センター役物２０の部材２０ｂを示す正面図である。
【図８】センター役物２０の部材２０ｂを示す背面図である。
【図９】センター役物２０の部材２０ｂを示す平面図である。
【符号の説明】
【００５６】
１  弾球遊技機、２  遊技盤面、３  図柄表示装置、４  始動入賞部、４ａ  制限部材、５  拡大装置、６  入賞口、７  作動ゲート、８  アタッカーユニット、９  大入賞口、１０  アウト口、１１  普通図柄表示部、１２  ガイドレール、２０  センター役物、２１  役物入口、２２  案内通路、３０  上段ステージ、３４  流下孔、４０  下段ステージ、４１  排出経路、５０  特別通路、５２  落下孔、
１０１、１０２、１０３、１０４  開口孔  １０５  切り欠き部  １５０  遊技板
２２０  駆動源  ２３０  可動体
【図１】
2006043088.tif 000003
【図２】
2006043088.tif 000004
【図３】
2006043088.tif 000005
【図４】
2006043088.tif 000006
【図５】
2006043088.tif 000007
【図６】
2006043088.tif 000008
【図７】
2006043088.tif 000009
【図８】
2006043088.tif 000010
【図９】
2006043088.tif 000011